(57)【要約】【課題】通気孔の大きさを忌避剤の効果に基づいて定まる適切な大きさの一定のものとすることができ、製造コストが大きくなってしまうことなない忌避剤容器及びその忌避剤容器を使用する忌避器具を提供すること。【解決手段】２枚のシートの周縁を接合した袋状の忌避剤容器であって、２枚のシートに挟まれた閉空間を有し、閉空間内の気体と忌避剤容器外の気体とが流通する通気孔が前記２枚のシートの少なくとも１枚に設けられた忌避剤容器を提供する。更に、通気孔を封止するシールテープが貼られた忌避剤容器を提供する。忌避剤容器を利用して忌避剤を内包した忌避剤容器を提供する。【選択図】図１
2014139088.tif 000002
【特許請求の範囲】
【請求項１】
周縁の接合された表面シートと裏面シートを有する袋状の忌避剤容器であって、
前記表面シートと前記裏面シートとに挟まれた閉空間を有し、
前記閉空間内の気体と前記忌避剤容器外の気体とが流通する通気孔が前記表面シートと前記裏面シートの少なくとも一方に設けられていることを特徴とする、忌避剤容器。
【請求項２】
前記シートはプラスチック製のフィルムであることを特徴とする、請求項１に記載の忌避剤容器。
【請求項３】
前記閉空間内に、液体の忌避剤を含有させるための液体吸収部材を有することを特徴とする、請求項１又は２に記載の忌避剤容器。
【請求項４】
前記液体吸収部材はゲル化素材であることを特徴とする、請求項３に記載の忌避剤容器。
【請求項５】
前記液体吸収部材は繊維素材であることを特徴とする、請求項３に記載の忌避剤容器。
【請求項６】
前記忌避剤容器を吊るすための掛け孔を有し、
前記通気孔が、前記掛け穴によって忌避剤容器を吊るした際に忌避剤が滞留する箇所よりも上方に設けられていることを特徴とする、請求項３〜５のいずれか１項に記載の忌避剤容器。
【請求項７】
前記閉空間の周縁に開口部を有し、
前記開口部は、前記表面シートと前記裏面シートとを分離させて前記液体吸収部材の出し入れが可能であり、かつ、前記表面シートと前記裏面シートとを密着させて通気を遮断することが可能であることを特徴とする、請求項３〜６のいずれか１項に記載の忌避剤容器。
【請求項８】
前記開口部はジッパーが設けられていることを特徴とする、請求項７に記載の忌避剤容器。
【請求項９】
前記通気孔が、前記液体吸収部材の出し入れにおいて前記液体吸収部材の通過する箇所ではない箇所に設けられていることを特徴とする、請求項７又は８に記載の忌避剤容器。
【請求項１０】
前記シートの表面における前記通気孔の面積が、１０ｍｍ２〜１００ｍｍ２であることを特徴とする、請求項１〜９のいずれか１項に記載の忌避剤容器。
【請求項１１】
前記通気孔を封止するシールテープが貼られたことを特徴とする、請求項１〜１０のいずれか１項に記載の忌避剤容器。
【請求項１２】
２以上の前記通気孔が設けられ、前記シールテープを剥がして、前記２以上の通気孔の一部のみを通気させることと全部を通気させることとの両方が可能であることを特徴とする、請求項１１に記載の忌避剤容器。
【請求項１３】
前記表面シートと前記裏面シートの両方に前記通気孔が設けられ、一方のシートの前記通気孔と他方のシートの前記通気孔とが異なる位置に設けられていることを特徴とする、請求項１〜１２のいずれか１項に記載の忌避剤容器。
【請求項１４】
前記シールテープの幅に合わせて前記シールテープを貼る位置を表示したものであることを特徴とする、請求項１〜１３のいずれか１項に記載の忌避剤容器。
【請求項１５】
請求項１〜１４のいずれか１項に記載の忌避剤容器に忌避剤を内包したことを特徴とする、忌避器具。
【請求項１６】
前記忌避剤が肉食動物の尿であることを特徴とする、請求項１５に記載の忌避器具。
【請求項１７】
前記忌避剤が肉食動物の尿から抽出された成分を含むもの、又は、化学的に合成された前記成分を含むものであることを特徴とする、請求項１５に記載の忌避器具。
【請求項１８】
液体の忌避剤を含有させた前記液体吸収部材を内包したことを特徴とする、請求項１５〜１７のいずれか１項に記載の忌避器具。
【発明の詳細な説明】
【技術分野】
【０００１】
本発明は、農産物等に害獣を寄りつかせないための忌避剤を入れる忌避剤容器及びその忌避剤容器を使用する忌避器具に関する。
【背景技術】
【０００２】
畑等において育成する農産物等が、猪、鹿、兎等の害獣によって荒らされてしまうことを防止するため、害獣の嫌う匂いを発する忌避剤が用いられる。忌避剤を入れた容器を畑等の周辺に設置することで、害獣を寄せ付けないことができる。
【０００３】
忌避剤に限るものではないが、特許文献１には、揮発性の薬剤のための袋状の容器が開示されている。薬剤を軟包装材の容器に封入し、軟包装材の一部を破ることによって薬剤を揮発させる通気孔とするものである。
【０００４】
しかし、特許文献１の容器を用いて害獣を忌避するには、以下の問題があった。
軟包装材を使用者が破るものであるため、破られることによって形成される通気孔の大きさが一定でない。通気孔が大きすぎれば、揮発量が多くなり、忌避効果の持続期間が短くなってしまう。通気孔が小さすぎれば、揮発量が少なくなり、害獣が畑等に侵入してしまう可能性がある。一定の間隔で忌避剤が配置されることが多いが、通気孔が小さすぎれば隣接して配置される忌避剤との間の地点に向けて忌避剤の匂いを送ることができない。
以上のように、通気孔の大きさがまちまちとなってしまうと、忌避効果の持続期間が短くなってしまうこと、隣接して配置される忌避剤との間の地点に向けて忌避剤の匂いを送ることができないことに起因して害獣が畑等に侵入してしまうこと等の問題が発生する。しかし、利用者は、この問題が通気孔の大きさに起因すると気付くことはなく、忌避剤の効果に疑問を持ってしまう虞がある。
【０００５】
忌避剤を袋状の容器でなく、プラスチック等の略直方体状の容器に入れ、その上部に通気孔を形成することも行われている。この場合も、利用者が半田ごて等によって通気孔を形成することとなり、通気孔の大きさが一定でない。忌避剤を入れた容器の流通段階において通気孔を形成しておくことは、実際の使用の前に忌避剤が揮発してしまい現実的でないためである。上記の問題が解決されるものではない。
【０００６】
また、特許文献２には、竹を用いた忌避剤容器が開示されている。特許文献２に開示された忌避剤容器は、通気孔の大きさを一様に保てると思われる。しかし、竹を用いるために軟包装材に比して製造コストが大きくなってしまう。
また、通気孔を塞いでも竹の繊維の間から忌避剤の成分が蒸散してしまうので、忌避剤の使用前に販売店等で長期間にわたって保管することができず、実用的でない。
【０００７】
従来の忌避剤容器及び忌避器具には、上記の他にも、揮発した忌避剤の補充が困難である（忌避器具の全体を交換せざるを得ない）、忌避剤が通気孔から漏れる、その他の問題を有するものが多かった。
【先行技術文献】
【特許文献】
【０００８】
【特許文献１】特開２０００−１０９１２８号公報
【特許文献２】特開２００８−２８３９１１号公報
【発明の概要】
【発明が解決しようとする課題】
【０００９】
解決しようとする課題は、通気孔の大きさを忌避剤の効果に基づいて定まる適切な大きさの一定のものとすることができ、製造コストが大きくなってしまうことのない忌避剤容器及びその忌避剤容器を使用する忌避器具を提供することである。
【００１０】
合わせて、発明の実装の形態によって、揮発した忌避剤の補充が困難である（忌避器具の全体を交換せざるを得ない）、忌避剤が通気孔から漏れる、その他の問題を解決した忌避剤容器及びその忌避剤容器を使用する忌避器具を提供することである。
【課題を解決するための手段】
【００１１】
本発明の忌避剤容器は、
周縁の接合された表面シートと裏面シートを有する袋状の忌避剤容器であって、
前記表面シートと前記裏面シートとに挟まれた閉空間を有し、
前記閉空間内の気体と前記忌避剤容器外の気体とが流通する通気孔が前記表面シートと前記裏面シートの少なくとも一方に設けられていることを特徴とする。
【００１２】
シートに、通気孔を予め設けてある。これにより、通気孔の大きさは一定のものとなる。使用者に通気孔を形成させるものでなく、設計どおりの大きさの通機孔とできるからである。
ここで、表面シートと裏面シートは、２枚の別々のシートでなくてもよい。例えば、表面と裏面とを１辺のみで接合させて展開した形状の長方形の１枚のシートを折り曲げて表面シートと裏面シートを形成することができる。忌避剤容器を製造する際に「２枚」のシートを用いることを本発明の構成要件とするものではない。以下、本明細書において、完成された忌避剤容器の表面シートと裏面シートとを合わせたものを、製造工程において１枚であったか２枚であったかにかかわらず、「２枚のシート」と言う。
【００１３】
本発明の忌避剤容器は、
前記シートはプラスチック製のフィルムであることを特徴とする。
【００１４】
プラスチック製のフィルムは、低コストで、加工容易である。製造コストを抑制できる。
【００１５】
本発明の忌避剤容器は、
前記閉空間内に、液体の忌避剤を含有させるための液体吸収部材を有することを特徴とする。
【００１６】
液体吸収部材に液体の忌避剤を含有させて交換することにより、スポイト等を用いて忌避剤を注入する手間をかけずに、揮発した忌避剤の補充ができる。
【００１７】
本発明の忌避剤容器は、
前記液体吸収部材はゲル化素材であることを特徴とする。
【００１８】
ゲル化素材は、液体吸収部材として広く用いられている。
【００１９】
本発明の忌避剤容器は、
前記液体吸収部材は繊維素材であることを特徴とする。
【００２０】
繊維素材も、液体吸収部材として広く用いられている。なお、繊維素材としては、不織布及び綿を含む。
【００２１】
本発明の忌避剤容器は、
前記忌避剤容器を吊るすための掛け孔を有し、
前記通気孔が、前記掛け穴によって忌避剤容器を吊るした際に忌避剤が滞留する箇所よりも上方に設けられていることを特徴とする。
【００２２】
忌避剤は液体であるので、通気孔が下方に設けられていると、通気孔から漏れてしまう虞がある。忌避剤容器の使用時において、液体の忌避剤は液体吸収部材の下方に滞留しているためである。忌避剤が滞留する箇所よりも上方に通気孔があるので、通気孔から忌避剤が漏れることはない。
【００２３】
本発明の忌避剤容器は、
前記開口部は、前記表面シートと前記裏面シートとを分離させて前記液体吸収部材の出し入れが可能であり、かつ、前記表面シートと前記裏面シートとを密着させて通気を遮断することが可能であることを特徴とする。
【００２４】
開口部からの液体吸収部材の出し入れが可能であり、液体吸収部材に液体の忌避剤を含有させて交換することが容易である。
また、忌避剤容器の製造において、液体吸収部材を容易に挿入することができる。
【００２５】
本発明の忌避剤容器は、
前記開口部はジッパーが設けられていることを特徴とする。
【００２６】
開口部における２枚のシートを分離・密着は、ジッパーによって容易に実現することができる。ここで「ジッパー」とは、食品冷凍用の小袋に用いられるもののように密着時に気密性を保つものを言い、衣類に用いられるいわゆるチャックのように密着時にも通気性のあるものを含まない。
【００２７】
本発明の忌避剤容器は、
前記通気孔が、前記液体吸収部材の出し入れにおいて前記液体吸収部材の通過する箇所ではない箇所に設けられていることを特徴とする。
【００２８】
後述のように、通気孔をシールテープで封止することがある。この場合、液体吸収部材が内包されていないと、通気孔の設けられたシートの外面に貼られたシールテープが、通気孔の箇所においてもう一つのシートの内面に粘着してしまうこと、すなわち２枚のシートが貼付されてしまうことがあり得る。そうすると、忌避剤容器を製造する過程において、２枚のシートが貼付された箇所を通過させて液体吸収部材を挿入することが困難になってしまう。この困難を回避するため、通気孔を液体吸収部材の通過する箇所ではない箇所に設ける。
このように通気孔が液体吸収部材と異なる箇所に設けられていても、使用時にはシールテープを剥がすので２枚のシートが分離し、忌避剤は、２枚のシートの間を通り通気孔から揮発する。
【００２９】
本発明の忌避剤容器は、
前記シートの表面における前記通気孔の面積が、１０ｍｍ２〜１００ｍｍ２であることを特徴とする。
【００３０】
実際の使用において、隣接して配置される忌避剤の間隔は、３〜６ｍと考えられる。通気孔の面積としては、１０ｍｍ２〜１００ｍｍ２が適している。例えば、直径６ｍｍの円形の通気孔を２つ設けると、面積はおよそ５７ｍｍ２となる。
【００３１】
本発明の忌避剤容器は、
前記通気孔を封止するシールテープが貼られたことを特徴とする。
【００３２】
実際の使用の前の流通段階において忌避剤が揮発してしまうことを防ぐため、シールテープによって封止する。
【００３３】
本発明の忌避剤容器は、
２以上の前記通気孔が設けられ、前記シールテープを剥がして、前記２以上の通気孔の一部のみを通気させることと全部を通気させることとの両方が可能であることを特徴とする。
【００３４】
実際の使用において、隣接して配置される忌避剤の間隔は、使用者の有する設備等に依存して変動する。この変動に対応して通気孔の面積を調整できると便利である。２以上の通気孔を設け、一部のみを通気させることと全部を通気させることとの両方が可能であれば、通気させる孔の数によって調整できる。
通気孔ごとに別々のシールテープを貼ることでも、全部の通気孔を封止する１枚のシールテープを貼りその一部を剥がさせることでも、孔の数による調整が可能である。
【００３５】
本発明の忌避剤容器は、
前記表面シートと前記裏面シートの両方に前記通気孔が設けられ、一方のシートの前記通気孔と他方のシートの前記通気孔とが異なる位置に設けられていることを特徴とする。
【００３６】
通気孔からスポイトによって忌避剤を注入することがある。この場合、一方の通気孔から挿入されたスポイトが、他方のシートを通過してしまうことなく他方のシートによって係止されることにより、忌避剤を確実に忌避剤容器内に注入することができる。
【００３７】
本発明の忌避剤容器は、
前記シールテープの幅に合わせて前記シールテープを貼る位置を表示したものであることを特徴とする。
【００３８】
忌避剤容器の製造過程において、シールテープを貼る作業は機械化されずに手作業によると考えられる。この作業において、貼るべきシールテープの幅に合わせて位置をガイドする、通気孔を超えてどれだけの長さにシールテープを貼るかをガイドする、その他のガイドを行う表示が忌避剤容器になされていれば、作業効率が向上し、ミスが減少する。なお、表示は、忌避剤容器に印刷する、その他任意の方法で行えばよい。
【００３９】
本発明の忌避器具は、
上記の忌避剤容器に忌避剤を内包したことを特徴とする。
【００４０】
上記忌避剤容器を使用する忌避器具である。
【００４１】
本発明の忌避器具は、
前記忌避剤が肉食動物の尿であることを特徴とする。
【００４２】
肉食動物の尿は、害獣の「縄張り意識」などによる忌避効果を有することが知られている。
【００４３】
本発明の忌避器具は、
前記忌避剤が肉食動物の尿から抽出された成分を含むもの、又は、化学的に合成された前記成分を含むものであることを特徴とする。
【００４４】
肉食動物の尿そのものを忌避剤として用いなくても、有効な成分を抽出したり化学的に合成したりすることによって忌避剤を製造することができる。
【００４５】
本発明の忌避器具は、
液体の忌避剤を含有させた前記液体吸収部材を内包したことを特徴とする。
【００４６】
液体吸収部材を活用した忌避器具である。
【発明の効果】
【００４７】
通気孔の大きさを忌避剤の効果に基づいて定まる適切な大きさの一定のものとすることができ、製造コストが大きくなってしまうことのない忌避剤容器及びその忌避剤容器を使用する忌避器具が提供される。
【００４８】
合わせて、発明の実装の形態によって、揮発した忌避剤の補充が容易である忌避剤容器、忌避剤が通気孔から漏れることがない忌避器具、使用者の状況に応じて通気孔の大きさを調整できる忌避器具が提供される。
【００４９】
更に、発明の実装の形態によって、忌避剤容器の製造過程における液体吸収部材の挿入、通気孔を封止するシールテープの貼り付けに係る作業が容易になる。
【図面の簡単な説明】
【００５０】
【図１】図１は、忌避剤容器を示す図である。（実施例１）
【図２】図２は、通気孔周辺の印刷を示す図である。（実施例１）
【図３】図３は、忌避剤容器を示す図である。（実施例２）
【図４】図４は、忌避剤容器を示す図である。（実施例３）
【発明を実施するための形態】
【００５１】
以下、本発明の実施例を示す。なお、通気孔の位置及び大きさ、忌避剤容器の形状等は、本発明の課題を解決する範囲内において、設計による変更が可能である。本発明の技術的範囲は実施例に限定されない。
【実施例１】
【００５２】
図１は、忌避剤容器を示す図である。忌避剤容器１は２枚のシートを貼り合わせたものである。点線で示す閉空間２においては２枚のシートが貼り合わされておらず、他の部分においては貼り合わされている。
表面には、２つの通気孔３が設けられており、シールテープ４によって封止されている。上方に掛け孔５が設けられている。
裏面には、ジッパー６が設けられている。
断面で示すように、閉空間２には液体吸収部材７が入れられている。
【００５３】
忌避剤容器１のサイズは、縦１３０ｍｍ、横８０ｍｍである。閉空間２のサイズは、縦１０５ｍｍ、横７０ｍｍである。通気孔３の直径は７ｍｍである。掛け孔５の直径は１０ｍｍである。
【００５４】
忌避剤容器を製造する手順は、以下のものである。
通気孔３及び掛け孔５の開いたシートを作成し、裏側のシートにジッパー６をつけ、２枚のシートを貼り合わせる。貼り合わせは、閉空間２以外の部分について行う。ここで、ジッパー６は、密着時に気密性を保つものである。
表側のシートにシールテープ４を貼って、通気孔３を封止する。この封止は、シートに印刷されたガイドにより容易に行うことができる。図２は、通気孔周辺の印刷を示す図である。通気孔３の周辺のシールテープを貼るべき位置を示すシールテープガイド８が印刷されている。
液体吸収部材７に忌避剤を含有させ、ジッパー６を開放して忌避剤容器１に入れる。ここで、液体吸収部材７は綿である。ただし、ゲル、不織布等であってもよい。
以上により、忌避剤容器１が製造される。忌避剤が内包されることになるので、忌避器具も同時に製造されたことになる。なお、忌避剤を含有させない液体吸収部材７を入れて忌避剤容器１を製造してもよい。この場合、後に忌避剤を通気孔３から流入させて忌避器具を製造することができる。
【００５５】
忌避剤は、コヨーテの尿である。コヨーテ、マウンテンライオン、狼を含む多くの肉食動物の尿が、害獣の忌避に有効である。
畑の周辺に柵を設け、忌避器具を柵に吊るす。害獣の多く通る獣道付近では３ｍ間隔に、他の場所では５ｍ間隔に吊るすものとする。これにより、害獣を畑に入れないことができる。
忌避剤が揮発して忌避効果が弱くなった場合には、ジッパー６を開放して液体吸収部材７を取出し、再び忌避剤を含有させて挿入し、ジッパー６を閉じればよい。または、通気孔３からスポイト等によって忌避剤を注入して液体吸収部材７に再び含有させてもよい。
【００５６】
図１には示されていないが、通気孔とは別に忌避剤注入用の孔を設けてもよい。この場合、避剤注入用の孔は、忌避剤注入後に閉じることができるものであることが好ましい。
【実施例２】
【００５７】
本実施例は、実施例１に比して、通気孔３の位置、シールテープ４の態様及びジッパー６の位置のみが相違するものであり、他は同様である。以下、この相違に基づく効果を説明する。他の点については、実施例１と同様であり、説明を省略する。
【００５８】
図３は、忌避剤容器を示す図である。通気孔３は、上方に設けられており、断面で示されるように液体吸収部材７と掛け孔５の間（液体吸収部材より上、掛け孔より下）に設けられている。また、ジッパー６は下端に設けられている。
製造過程において、シールテープ４によってテープ粘着部９で２枚のシール部材が粘着してしまっても、ジッパー６を開放して液体吸収部材７を挿入することの妨げにならない。
【００５９】
シールテープ４は、２つの通気孔に別々のものが貼られている。通気孔の面積を小さくしたい場合には、一方のシールテープのみを剥がし、他方のシールテープを貼ったままで忌避器具を使用することができる。
なお、実施例１においても、シールテープ４を半分だけ剥がして１つの通気孔のみを開放し他の通気孔を封止することが可能である。
【実施例３】
【００６０】
本実施例は、実施例１及び２に比して、開口部の態様及び通気孔３の位置のみが相違するものであり、他は同様である。以下、この相違に基づく効果を説明する。他の点については、実施例１及び２と同様であり、説明を省略する。
【００６１】
図４は、忌避剤容器を示す図である。忌避剤容器１の下辺には、忌避剤を含有した液体吸収部材７を挿入した後にヒートシーラーによって熱着された熱着部１０が設けられている。表面シートには通気孔３ａが、裏面シートには通気孔３ｂが設けられている。通気孔３ａと３ｂは異なる位置に設けられている。図において、他の面のシートの通気孔を点線で示し、異なる位置に設けられていることを明示した。
【００６２】
忌避材容器１及び忌避器具を製造する手順は、以下のものである。
通気孔３ａ及び３ｂ並びに掛け孔５の開いたシートを作成し、２枚のシートを貼り合わせる。貼り合わせは、閉空間２以外の部分について行うが、熱着部１０は貼り合わせないでおく。
２枚のシートにシールテープ４を貼って、通気孔３ａ及び３ｂを封止する。
液体吸収部材７に忌避剤を含有させ、貼り合わせられていない熱着部１０の箇所から忌避剤容器１に入れる。
熱着部１０をヒートシーラーによって熱着し、忌避剤を含有する液体吸収部材７を閉空間２に封入する。シートは熱溶着性を持つものである。
【００６３】
なお、本実施例では熱着部１０を下辺に設けたが、他の辺に設けてもよい。また、１辺のみでなく２辺以上に設けてもよい。例えば、３辺に熱着部を設け、表面と裏面とを１辺のみで接合させて展開した形状の長方形のシートを折り曲げて表面と裏面の２枚のシートを構成し、液体吸収部材７を封入した後に他の３辺をヒートシーラーによって熱着することもできる。
【００６４】
液体吸収部材７が閉空間２に封入されて取り出しが困難なので、忌避剤を追加注入する際には、通気孔３ａからスポイトによって注入する。通気孔３ａと３ｂは異なる位置に設けられているので、通気孔３ａから挿入されたスポイトが通気孔３ｂを通過してしまうことなく、忌避剤を確実に忌避剤容器内に注入することができる。
【産業上の利用可能性】
【００６５】
通気孔の大きさを忌避剤の効果に基づいて定まる適切な大きさの一定のものとすることができ、製造コストが大きくなってしまうことなない忌避剤容器及びその忌避剤容器を使用する忌避器具であり、多くの農業事業者及び忌避器具製造事業者による利用が考えられる。
【符号の説明】
【００６６】
１      忌避剤容器
２      閉空間
３      通気孔
４      シールテープ
５      掛け孔
６      ジッパー
７      液体吸収部材
８      シールテープガイド
９      テープ粘着部
１０    熱着部
【図１】
2014139088.tif 000003
【図２】
2014139088.tif 000004
【図３】
2014139088.tif 000005
【図４】
2014139088.tif 000006